【手続補正書】
【提出日】平成20年4月14日(2008.4.14)
【手続補正１】
【補正対象書類名】明細書
【補正対象項目名】特許請求の範囲
【補正方法】変更
【補正の内容】
【特許請求の範囲】
【請求項１】  トリガ可能なポリマーと、非架橋コバインダーポリマーとを含むポリマー製剤であって、該ポリマー製剤が、１つ又はそれ以上の１価のイオンを含む少なくとも約１重量パーセントの塩を含有する中性の塩溶液中で不溶性であり、前記トリガ可能なポリマーが、１つ又はそれ以上の多価イオンを約２００ｐｐｍまで含有する水中で可溶性であることを特徴とするポリマー製剤。
【請求項２】  トリガ可能なポリマーと、架橋不能なコバインダーポリマーとを含むポリマー製剤であって、該ポリマー製剤が、１つ又はそれ以上の１価のイオンを含む少なくとも約１重量パーセントの塩を含有する中性の塩溶液中で不溶性であり、前記トリガ可能なポリマーが、１つ又はそれ以上の多価イオンを約２００ｐｐｍまで含有する水中で可溶性であることを特徴とするポリマー製剤。
【請求項３】  トリガ可能なポリマーと、非架橋コバインダーポリマーとを含み、１つ又はそれ以上の１価のイオンを含む少なくとも約１重量パーセントの塩を含有する中性の塩溶液中で湿潤強度を有し、硬水又は軟水中で分散可能であることを特徴とするポリマー製剤。
【請求項４】  トリガ可能なポリマーと、架橋不能なコバインダーポリマーとを含み、１つ又はそれ以上の１価のイオンを含む少なくとも約１重量パーセントの塩を含有する中性の塩溶液中で湿潤強度を有し、硬水又は軟水中で分散可能であることを特徴とするポリマー製剤。
【請求項５】  スルホン酸陰イオン修飾アクリル酸ターポリマーを含むトリガ可能なコポリマーと、ポリ（エチレン−酢酸ビニル）を含む非架橋コバインダーポリマーとを含むポリマー製剤であって、該ポリマー製剤が、１つ又はそれ以上の１価のイオンを含む少なくとも約１重量パーセントの塩を含有する中性の塩溶液中では不溶性であり、前記トリガ可能なコポリマーが、１つ又はそれ以上の多価イオンを約２００ｐｐｍまで含有する水中では可溶性であることを特徴とするポリマー製剤。
【請求項６】  前記組成物が、約１５ｐｐｍから約２００ｐｐｍまでの１つ又はそれ以上の多価イオンを含有する水中で可溶性であることを特徴とする請求項５に記載のポリマー製剤。
【請求項７】  前記組成物が、約１０ｐｐｍ未満の１つ又はそれ以上の多価イオンを含有する水中で可溶性であることを特徴とする請求項５に記載のポリマー製剤。
【請求項８】  前記組成物が、約１重量パーセントから約５．０重量パーセントまでの塩を含有する中性の塩溶液中で不溶性であることを特徴とする請求項５に記載のポリマー製剤。
【請求項９】  前記多価イオンが、Ｃａ2+イオン、Ｍｇ2+イオン、Ｚｎ2+イオン、又はその組み合わせを含むことを特徴とする請求項５に記載のポリマー製剤。
【請求項１０】  前記１価イオンが、Ｎａ+イオン、Ｌｉ+イオン、Ｋ+イオン、ＮＨ4+イオン、又はその組み合わせを含むことを特徴とする請求項５に記載のポリマー製剤。
【請求項１１】  前記アクリル酸ターポリマーが、アクリル酸及びメタクリル酸の少なくとも１つと、１つ又はそれ以上のアクリル酸アルキルを含むことを特徴とする請求項５に記載のポリマー製剤。
【請求項１２】  前記スルホン酸陰イオン修飾アクリル酸ターポリマーが、アクリル酸、２−アクリルアミド−２−メチル−１−プロパンスルホン酸及びそのアルカリ土類金属塩及び有機アミン塩、アクリル酸ブチル、及び、アクリル酸２−エチルヘキシルから選択される少なくとも４つのモノマーで形成されることを特徴とする請求項５に記載のポリマー製剤。
【請求項１３】  前記スルホン酸陰イオン修飾アクリル酸ターポリマーが、アクリル酸、ＡＭＰＳ、ＮａＡＭＰＳ、アクリル酸ブチル、及び、アクリル酸２−エチルヘキシルから選択される少なくとも４つのモノマーで形成されることを特徴とする請求項５に記載のポリマー製剤。
【請求項１４】  前記組成物が、約６５から約７５重量パーセントまでの前記スルホン酸陰イオン修飾アクリル酸ターポリマーを含むことを特徴とする請求項５に記載のポリマー製剤。
【請求項１５】  前記組成物が、約１から４５重量パーセントまでの前記非架橋ポリ（エチレン−酢酸ビニル）を含むことを特徴とする請求項５に記載のポリマー製剤。
【請求項１６】  繊維材料を結合して一体化ウェブにするための結合剤組成物であって、該結合剤組成物が、請求項５に記載のイオン感応性組成物を含むことを特徴とする結合剤組成物。
【請求項１７】  繊維材料及び結合剤材料を含む不織布であって、前記結合剤材料が、請求項５に記載のイオン感応性組成物を含むことを特徴とする不織布。
【請求項１８】  アクリル酸、２−アクリルアミド−２−メチル−１−プロパンスルホン酸及びそのアルカリ土類金属塩及び有機アミン塩、アクリル酸ブチル、及び、アクリル酸２−エチルヘキシルから選択される少なくとも４つのモノマーで形成された第１のポリマーと、非架橋ポリ（エチレン−酢酸ビニル）を含む第２のポリマーとを含むイオン感応性組成物であって、該組成物が、１つ又はそれ以上の１価のイオンを含む少なくとも約１重量パーセントの塩を含有する中性の塩溶液に不溶性であり、前記第１のポリマーが約２００ｐｐｍまでの１つ又はそれ以上の多価イオンを含有する水中で可溶性であることを特徴とするイオン感応性組成物。
【請求項１９】  前記第１のポリマーが、約３５から８０モルパーセント未満までのアクリル酸、０を超え約２０モルパーセントまでの２−アクリルアミド−２−メチル−１−プロパンスルホン酸及びそのアルカリ土類金属塩及び有機アミン塩、０を超え約６５モルパーセントまでのアクリル酸ブチル、及び、０を超え約４５モルパーセントまでのアクリル酸２−エチルヘキシルを含むことを特徴とする請求項１８に記載のイオン感応性組成物。
【請求項２０】  前記第１のポリマーが、約６５から約７５重量パーセントまでの量で存在することを特徴とする請求項１８に記載のイオン感応性組成物。
【請求項２１】  前記第２のポリマーが、約１から４５重量パーセントまでの量で存在することを特徴とする請求項１８に記載のイオン感応性組成物。
【請求項２２】  前記第１のポリマーが、約５７から６６モルパーセント未満までのアクリル酸、約１から約６モルパーセントまでのＡＭＰＳ又はＮａＡＭＰＳ、約１５から約２８モルパーセントまでのアクリル酸ブチル、及び、約７から約１３モルパーセントまでのアクリル酸２−エチルヘキシルを含み、前記組成物が、約６５から約７５重量パーセントまでの前記第１のポリマー及び約２５から約３５重量パーセントまでの前記第２のポリマーを含むことを特徴とする請求項１８に記載のイオン感応性組成物。
【請求項２３】  内部に非架橋ポリ（エチレン−酢酸ビニル）が分散されたスルホン酸陰イオン修飾アクリル酸ターポリマーを含むことを特徴とするイオン感応性組成物。
【請求項２４】  イオン感応性組成物を製造する方法であって、
スルホン酸陰イオン修飾アクリル酸ターポリマーと非架橋ポリ（エチレン−酢酸ビニル）とを組み合わせる段階を含み、該組成物が、１つ又はそれ以上の１価のイオンを含む少なくとも約１重量パーセントの塩を含有する中性の塩溶液中で不溶性であり、前記スルホン酸陰イオン修飾アクリル酸ターポリマーが、約２００ｐｐｍまでの１つ又はそれ以上の多価イオンを含有する水中では可溶性であることを特徴とする方法。
【請求項２５】  前記スルホン酸陰イオン修飾アクリル酸ターポリマーが、アクリル酸又はメタクリル酸又はその組み合わせ、２−アクリルアミド−２−メチル−１−プロパンスルホン酸及びそのアルカリ土類金属塩及び有機アミン塩、及び、１つ又はそれ以上のアクリル酸アルキルを含むことを特徴とする請求項２４に記載の方法。
【請求項２６】  前記スルホン酸陰イオン修飾アクリル酸ターポリマーが、アクリル酸、２−アクリルアミド−２−メチル−１−プロパンスルホン酸及びそのアルカリ土類金属塩及び有機アミン塩、アクリル酸ブチル、及び、アクリル酸２−エチルヘキシルから選択される少なくとも４つのモノマーから形成されることを特徴とする請求項２４に記載の方法。
【請求項２７】  スルホン酸陰イオン修飾アクリル酸ターポリマー中に、非架橋ポリ（エチレン−酢酸ビニル）を分散させる段階を含むことを特徴とするイオン感応性組成物を製造する方法。